(57)【要約】【課題】梱包箱から緩衝材と製品とを取り出しやすくなる梱包箱及び梱包セットを提供すること。【解決手段】梱包箱１０は、底面１６と、少なくとも２つの側面１１、１３を備え、２つの側面１１、１３は対向し、２つの側面１１、１３は、底面１６と接する辺４１の一部を折り曲げ軸として開閉可能なフラップ２１、２３を、それぞれ少なくとも１つ有する。【選択図】図１
2018027791.tif 000002
【特許請求の範囲】
【請求項１】
底面と、少なくとも２つの側面を備え、
前記２つの側面は対向し、
前記２つの側面は、底面と接する辺の一部を折り曲げ軸として開閉可能なフラップを、それぞれ少なくとも１つ有する梱包箱。
【請求項２】
前記２つの側面は、前記フラップに対応する形状の開口を有し、前記フラップと前記開口との境界にミシン目が形成されている請求項１に記載の梱包箱。
【請求項３】
前記梱包箱の頂面が開閉可能である請求項１または２に記載の梱包箱。
【請求項４】
請求項１から３のいずれかに記載の梱包箱と、
前記底面と略同一の形状の底面を有する緩衝材と、を備える梱包セット。
【請求項５】
前記緩衝材は、前記梱包箱に収容されている状態で、前記梱包箱の前記フラップに対応する位置に斜面を有する請求項４に記載の梱包セット。
【請求項６】
前記緩衝材は、前記梱包箱の前記フラップに対応する側面で前記フラップに対応しない位置に開口を有する収納空間を有する請求項５に記載の梱包セット。
【発明の詳細な説明】
【技術分野】
【０００１】
本発明は梱包箱及び梱包セットに関する。
【背景技術】
【０００２】
従来、液晶ディスプレイ等の電子機器を梱包して輸送するために梱包箱が用いられている。例えば、特許文献１及び特許文献２には、製品を収容するための梱包箱が記載されている。
【０００３】
梱包箱に製品を収容する場合、製品を衝撃から保護するために、製品を緩衝材に収容し、緩衝材に収容した製品を梱包材に収容することが行われている。
【先行技術文献】
【特許文献】
【０００４】
【特許文献１】特開２００７−５５６３０号公報
【特許文献２】特表平８−５０５３４９号公報
【発明の概要】
【発明が解決しようとする課題】
【０００５】
しかしながら、梱包箱から緩衝材と製品とを取り出す場合、梱包箱と緩衝材との摩擦力により、梱包箱から緩衝材をスライドさせにくくなり、梱包箱から緩衝材と製品とを取り出しにくいという問題があった。
【課題を解決するための手段】
【０００６】
本発明の梱包箱は、底面と、少なくとも２つの側面を備え、前記２つの側面は対向し、前記２つの側面は、底面と接する辺の一部を折り曲げ軸として開閉可能なフラップを、それぞれ少なくとも１つ有する。
【発明の効果】
【０００７】
本発明は、梱包箱から緩衝材と製品とを取り出しやすくなる梱包箱及び梱包セットを提供することできる。
【図面の簡単な説明】
【０００８】
【図１】実施の形態１にかかる梱包箱の構成を示す六面図である。
【図２】実施の形態１にかかる梱包箱の外観を示す斜視図である。
【図３】実施の形態１にかかる梱包箱の外観を示す斜視図である。
【図４】実施の形態１にかかる緩衝材の構成を示す六面図である。
【図５】実施の形態１にかかる緩衝材の外観を示す斜視図である。
【図６】実施の形態１にかかる梱包セットの構成を示す図である。
【図７】実施の形態１にかかる梱包セットの構成を示す断面図である。
【図８】実施の形態１にかかる梱包セットの構成を示す断面図である。
【図９】実施の形態２にかかる梱包箱の外観を示す斜視図である。
【図１０】実施の形態２にかかる梱包箱の構成を示す正面図及び上面図である。
【発明を実施するための形態】
【０００９】
（実施の形態１）
以下、図面を参照して本発明の実施の形態について説明する。図１は、実施の形態１にかかる梱包箱の構成を示す六面図である。図１において、Ａは正面図、Ｂは右側面図、Ｃは左側面図、Ｄは背面図、Ｅは上面図、Ｆは下面図を示す。図１において、梱包箱１０は、第１側面１１と、第２側面１２と、第３側面１３と、第４側面１４と、頂面１５と、底面１６とを有する。なお、右側面図に示す一点破線は、図７及び図８の断面図の断面を示す。詳細は後述する。
【００１０】
第１側面１１、第２側面１２、第３側面１３、第４側面１４及び底面１６は、一体形成または、板を互いに接続して形成されている。また、頂面１５は、一辺４５を第３側面１３に接続しており、一辺４５を折り曲げ軸として開閉自在に形成されている。例えば、第１側面１１、第２側面１２、第３側面１３、第４側面１４、頂面１５及び底面１６は、板紙で多層構造を形成した段ボールを折り曲げて一体形成してもよい。
【００１１】
そして、第１側面１１と第３側面１３とは互いに対向するように位置している。同様に第２側面１２と第４側面１４とは互いに対向するように位置している。
【００１２】
第１側面１１は、フラップ２１と、開口３１とを有する。フラップ２１は、第１側面１１と底面１６とが接する辺４１の一部を折り曲げ軸として梱包箱１０の内外に開閉できるように構成されているフラップである。
【００１３】
例えば、フラップ２１は、辺４１以外の第１側面１１との境界にミシン目５１が設けられている。このミシン目５１は手作業により切断可能である。開口３１は、ミシン目５１を切断してフラップ２１を開閉するために、少なくとも人の指が挿入可能なサイズの穴である。
【００１４】
同様に第２側面１２は、フラップ２２と、開口３２とを有する。同様に第３側面１３は、フラップ２３と、開口３３とを有する。同様に第４側面１４は、フラップ２４と、開口３４とを有する。
【００１５】
なお、図１では、第１側面１１、第２側面１２、第３側面１３及び第４側面１４がフラップと開口とを有しているが、少なくとも対向する２つの側面がフラップを有していれば良い。また開口は有していても、有していなくても良い。
【００１６】
次に、梱包箱１０の利用方法について説明する。図２は、実施の形態１にかかる梱包箱の外観を示す斜視図である。図２に示すように、梱包箱１０は、底面１６を下にして床に置かれた場合、フラップ２１は、折り曲げ軸となる辺４１が床と接する。
【００１７】
ここで、ミシン目５２を切断することにより、フラップ２２は、辺４２の一部を折り曲げ軸として梱包箱１０の内外に開閉可能となる。図３は、実施の形態１にかかる梱包箱の外観を示す斜視図である。
【００１８】
図３に示すように、フラップ２２は、梱包箱１０の内側に折り曲げられる。そして、開口３２に足を入れて、梱包箱１０を固定した状態で、頂面１５を空けて、梱包箱１０の内容物を取り出す。
【００１９】
このように、実施の形態１の梱包箱によれば、底面と接する辺の一部を折り曲げ軸として開閉可能なフラップを、少なくとも２つの側面に少なくとも１つ有することにより、側面の開口に足を踏み入れて梱包箱を固定することができるので、梱包箱から緩衝材をスライドさせやすくなり、梱包箱から緩衝材と製品とを取り出しやすくなる。
【００２０】
次に、梱包箱内に製品と共に収容する緩衝材について説明する。図４は、実施の形態１にかかる緩衝材の構成を示す六面図である。また、図５は、実施の形態１にかかる緩衝材の外観を示す斜視図である。
図４において、Ａは正面図、Ｂは右側面図、Ｃは左側面図、Ｄは背面図、Ｅは上面図、Ｆは下面図を示す。図４において、緩衝材６０は、第１側面６１と、第２側面６２と、第３側面６３と、第４側面６４と、頂面６５と、底面６６とを有する。なお、右側面図に示す一点破線は、図７及び図８の断面図の断面を示す。詳細は後述する。
【００２１】
第２側面６２は、第１垂直面７１と、斜面７２と、第２垂直面７３とを有する。第１斜面は、梱包箱１０に収納された状態で、梱包箱１０の第２側面１２に対して十分なクリアランスを有する。一方、第２垂直面７３は、底面６６に接続し、底面６６と直角を成す面である。そして、斜面７２は、第１垂直面７１の一辺と、第２垂直面７３の一辺とを接続し、底面６６に対して０度より大きく、９０°より小さい角度を成している。
【００２２】
そして、斜面７２は、梱包箱１０のフラップ２２が内側に折り曲げられた場合に、フラップ２２を受け止め、製品との衝突を防止する。
【００２３】
また、斜面７２は、開口７４及び開口７５を有する。そして、緩衝材６０は、内部に収納空間７６及び収納空間７７を有する。収納空間７６は、開口７４を介して製品の付属部材等を収容することができる。同様に収納空間７７は、開口７５を介して製品の付属部材等を収容することができる。
【００２４】
同様に、第４側面６４も、第１垂直面、斜面、第２垂直面及び収納空間を有する。
【００２５】
なお、第２側面６２は、第１垂直面７１を有していなくてもよい。また、第２側面６２は、第２垂直面７３は有していなくても良い。第２垂直面７３を有していない場合、斜面７２の一辺が底面６６に接続する。また、図４及び図５では、第１側面６１及び第３側面６３に斜面を設けていないが、第２側面６２と同様に斜面を設けても良い。
【００２６】
上記で説明した梱包箱１０と緩衝材６０とを用いて梱包セットが構成される。図６は、実施の形態１にかかる梱包セットの構成を示す図である。図６において、梱包セット８０は、梱包箱１０と、緩衝材６０と、緩衝材８１とを備える。
【００２７】
緩衝材６０は、下方から製品８２を保護するように収容する。また、緩衝材８１は、上方から製品８２を保護するように収容する。
【００２８】
そして、緩衝材６０及び緩衝材８１に収容された製品８２は、梱包箱１０の中に収容される。図７及び図８は、実施の形態１にかかる梱包セットの構成を示す断面図である。図７は、図１及び図４の断面ＶＩＩにおける断面図である。すなわち図７は、第２側面６２の斜面７２のある断面を示す。
【００２９】
一方、図８は、図１及び図４の断面ＶＩＩＩにおける断面図である。図８は、開口７４及び収納空間７６のある断面を示す。
【００３０】
図７に示すように、緩衝材６０の斜面７２は、梱包箱１０の底面１６に隣接する位置または底面１６の近傍に存在するので、フラップ２２が折り曲げられた場合に、斜面７２がフラップ２２を受け止めることができる。
【００３１】
そして、図８に示すように、緩衝材６０の収納空間７６は、製品の付属部材等を収容することができる空間である。フラップ２２が折り曲げられたとしても、断面ＶＩＩＩでは、フラップ２２が存在しないので、製品の付属部材等が損傷することはない。
【００３２】
このように実施の形態１の緩衝材または梱包セットによれば、梱包箱に収容されている状態で、梱包箱のフラップに対応する位置に斜面を有することにより、フラップが折り曲げられた場合に、斜面がフラップを受け止めることができるので、収容している製品を保護することができる。
【００３３】
また、実施の形態１の緩衝材または梱包セットによれば、梱包箱のフラップに対応する側面で、フラップに対応しない位置に開口を有する収納空間を有することにより、製品の付属部材等を収容することができる。
【００３４】
なお、梱包セット８０は、緩衝材８１を備えても良く、備えなくても良い。製品８２の上部への衝撃を防ぐ必要がある場合、緩衝材８１を備えた方が良い。
【００３５】
（実施の形態２）
実施の形態２では、梱包箱のフラップを外側に折り曲げる例について説明する。図９は、実施の形態２にかかる梱包箱の外観を示す斜視図である。また、図１０は、実施の形態２にかかる梱包箱の構成を示す正面図及び上面図である。図９及び図１０において、図１、２と同一の構成には同一の番号を付し、説明を省略する。
【００３６】
図９及び図１０に示すように、梱包箱１０のフラップ２１〜２４は、梱包箱１０の外側に折り曲げても良い。外側に折り曲げられたフラップ２１〜２４は、足で踏むことにより梱包箱１０が固定できる。たとえば、フラップ２１とフラップ２３を固定することにより、梱包箱を回転させずに固定できる。同様にフラップ２２とフラップ２４を固定することにより、梱包箱を回転させずに固定できる。
【００３７】
このように、実施の形態２の梱包箱及び梱包セットによれば、フラップを外側に折り曲げ可能とすることにより、外側に折り曲げられたフラップを足で踏むことにより梱包箱を固定することができるので、梱包箱から緩衝材をスライドさせやすくなり、梱包箱から緩衝材と製品とを取り出しやすくなる。
【００３８】
なお、本発明は上記実施の形態に限られたものではなく、趣旨を逸脱しない範囲で適宜変更することが可能である。例えば、フラップは一つの側面に複数設けてもよい。
【００３９】
また、第１側面１１と第３側面１３のみフラップを設ける場合は、第２側面１２及び第４側面１４の形状は曲面でも多角形でもいずれの形状でもよい。すなわち、梱包箱１０は、底面１６が、第１側面１１及び第３側面１３と接続する部分が直線であるオーバル形状や、五角形以上の多角形の形状であってもよい。
【００４０】
また、第１側面１１、第２側面１２、第３側面１３及び第４側面１４にフラップを設ける場合でも、六角柱形状、八角柱形状等の多角形柱の形状としてもよい。
【００４１】
また梱包箱の素材は、箱に使用可能な素材が適用できる。例えばパルプ、プラスチック等が好適である。また、板の形状は、単板または多層構造を形成した段ボール等が好適である。
【００４２】
また、緩衝材の素材は、製品を保護可能な素材が適用できる。例えばウレタン等の樹脂、パルプが好適である。また、緩衝材の形状は、外側の形状が梱包箱に収容できる形状であればよい。また、緩衝材の形状は、内側の形状が製品を収容できる形状であればよい。
【符号の説明】
【００４３】
１０  梱包箱
１１、６１  第１側面
１２、６２  第２側面
１３、６３  第３側面
１４、６４  第４側面
１５、６５  頂面
１６、６６  底面
２１、２２、２３、２４  フラップ
３１、３２、３３、３４  開口
５１、５２  ミシン目
６０  緩衝材
７１  第１垂直面
７２  斜面
７３  代２垂直面
７４、７５  開口
７６、７７  収納空間
８０  梱包セット
８１  緩衝材
８２  製品
【図１】
2018027791.tif 000003
【図２】
2018027791.tif 000004
【図３】
2018027791.tif 000005
【図４】
2018027791.tif 000006
【図５】
2018027791.tif 000007
【図６】
2018027791.tif 000008
【図７】
2018027791.tif 000009
【図８】
2018027791.tif 000010
【図９】
2018027791.tif 000011
【図１０】
2018027791.tif 000012